(57)【要約】【課題】旋回流形成方式の排水トラップにおいて、受入室内の旋回流の旋回流速を大きくし、ゴミがヘアキャッチャーの中心に効率よく集められると共に、ヘアキャッチャーの浄化作用も強くなるようにする。【解決手段】下部ハウジング２２の周壁に流入口１１が接続されている。流入口１１は、下部ハウジング２２の内周面の接線方向を指向している。下部ハウジング２２の周壁の水平断面形状は、この流入口１１の接続部における周壁の半径ｒ１が最も大きく、水の旋回方向下流側に向って徐々に半径が小さくなり、旋回方向の下流端における周壁の半径ｒ２が最も小さい形状となっている。下部ハウジング２２内に流入した水は、周壁に沿って旋回するに際し、旋回方向下流側になるほど旋回半径が小さくなり、旋回流速が増大する。【選択図】図５
2009167589.tif 000002
【特許請求の範囲】
【請求項１】
洗い場排水の受入口を上部に有すると共に、浴槽排水を浴槽排水流入口から略接線方向に受け入れてトラップ内で旋回流を形成させる略円筒形の受入室を有する排水トラップにおいて、
該浴槽排水流入口のレベルにおける該受入室の周壁の水平断面形状は、該浴槽排水流入口部分で半径が最も大きく、旋回方向下流側に向って徐々に半径が小さくなる形状であることを特徴とする排水トラップ。
【請求項２】
請求項１において、前記浴槽排水流入口よりも上側の受入室の径は、該浴槽排水流入口レベルにおける受入室の最小径よりも小さいことを特徴とする排水トラップ。
【請求項３】
請求項１又は２において、前記浴槽排水流入口よりも下側の受入室の径は、該浴槽排水流入口レベルにおける受入室の最小径よりも小さいことを特徴とする排水トラップ。
【請求項４】
請求項１ないし３のいずれか１項において、前記受入室の下側に、水を排水口に導くための導水室が設けられ、
該受入室の底部の中心部に、該受入室内の水を該導水室に流出させるための開口が設けられており、
該排水口の下縁のレベルは、前記受入室の底部よりも上位であることを特徴とする排水トラップ。
【請求項５】
請求項１ないし４のいずれか１項において、前記受入室内に上方からヘアキャッチャーが差し込まれていることを特徴とする排水トラップ。
【発明の詳細な説明】
【技術分野】
【０００１】
本発明は、浴室の洗い場に設けられる排水トラップに係り、特に浴槽排水を受け入れてトラップ内に旋回流を形成させるよう構成された排水トラップに関する。
【背景技術】
【０００２】
洗い場排水を受け入れる洗い場排水受入口が上部に設けられていると共に、浴槽排水を側周面から受入室内に受け入れて該受入室内に旋回流を形成させるようにした排水トラップが特許第３８８６０５５号に記載されている。このトラップの洗い場排水受入口には、上方が開放したカゴ（篭）状のヘアキャッチャーが着脱自在に装着されている。このヘアキャッチャーは、トラップ内の軸心部付近に垂下している。浴槽排水がトラップ内に流入し、トラップ内の水位が上昇して旋回流が形成されると、このヘアキャッチャーが旋回流に浸漬され、ヘアキャッチャー内の毛髪などのゴミがヘアキャッチャーの中心に集められる。これにより、ゴミを摘んで捨てることができるようになる。また、ヘアキャッチャーの内外面が旋回流に浸漬されて浄化され、ヌメリ等が除去される。
【０００３】
この特許第３８８６０５５号の排水トラップにあっては、受入室は上下方向においてほぼ等径であるか、又は微かながら上方ほど径が大きくなるよう構成されている（同号公報の図４参照）。
【特許文献１】特許第３８８６０５５号
【発明の開示】
【発明が解決しようとする課題】
【０００４】
本発明は、旋回流形成方式の排水トラップにおいて、受入室内の旋回流の旋回流速を大きくし、これによりゴミがヘアキャッチャーの中心に効率よく集められると共に、ヘアキャッチャーの浄化作用も強くなるようにした排水トラップを提供することを目的とする。
【課題を解決するための手段】
【０００５】
請求項１の排水トラップは、洗い場排水の受入口を上部に有すると共に、浴槽排水を浴槽排水流入口から略接線方向に受け入れてトラップ内で旋回流を形成させる略円筒形の受入室を有する排水トラップにおいて、該浴槽排水流入口のレベルにおける該受入室の周壁の水平断面形状は、該浴槽排水流入口部分で半径が最も大きく、旋回方向下流側に向って徐々に半径が小さくなる形状であることを特徴とするものである。
【０００６】
請求項２の排水トラップは、請求項１において、前記浴槽排水流入口よりも上側の受入室の径は、該浴槽排水流入口レベルにおける受入室の最小径よりも小さいことを特徴とするものである。
【０００７】
請求項３の排水トラップは、請求項１又は２において、前記浴槽排水流入口よりも下側の受入室の径は、該浴槽排水流入口レベルにおける受入室の最小径よりも小さいことを特徴とするものである。
【０００８】
請求項４の排水トラップは、請求項１ないし３のいずれか１項において、前記受入室の下側に、水を排水口に導くための導水室が設けられ、該受入室の底部の中心部に、該受入室内の水を該導水室に流出させるための開口が設けられており、該排水口の下縁のレベルは、前記受入室の底部よりも上位であることを特徴とするものである。
【０００９】
請求項５の排水トラップは、請求項１ないし４のいずれか１項において、前記受入室内に上方からヘアキャッチャーが差し込まれていることを特徴とするものである。
【発明の効果】
【００１０】
本発明（請求項１）の排水トラップは、洗い場排水と浴槽排水とを受け入れる旋回流形成方式の排水トラップにおいて、受入室周壁の浴槽排水流入口レベルにおける水平断面形状を浴槽排水流入口部分で半径が最も大きく、旋回方向下流側に向って徐々に半径が小さくなるよう構成したものである。
【００１１】
かかる本発明の排水トラップにあっては、浴槽排水流入口から受入室内に流入した水は、受入室周壁に沿って旋回するに際し、受入室周壁付近から旋回方向下流側になるほど旋回半径が小さくなり、旋回流速が増大する。これにより、ゴミがヘアキャッチャーの中心に効率よく集められると共に、ヘアキャッチャーの浄化作用も強くなる。
【００１２】
請求項２のように、受入室の上部の径を小さくすることにより、受入室上部の旋回流速がさらに増大する。
【００１３】
請求項３のように、受入室の下部の径を小さくすることにより、受入室下部の旋回流速がさらに増大する。
【００１４】
請求項４のように、受入室の底部の中心部に開口を設けることにより、旋回により形成された渦の中心部の水が該開口に落ち込むようにして流出する。これにより、ゴミがヘアキャッチャーの中心部に効率よく集められる。また、浴槽排水が流入しない場合、該開口の上側のレベルまで水が溜まり、封水が形成される。
【発明を実施するための最良の形態】
【００１５】
以下、本発明の実施の形態を図面に基づいて説明する。
【００１６】
第１図は排水トラップの斜視図、第２図は排水トラップの断面図、第３図は排水トラップの正面図、第４図は排水トラップの平面図、第５図は第４図のＶ−Ｖ線断面図、第６図は第３図のVI−VI線断面図、第７図は排水トラップの左側面図、第８図は実施の形態に係る排水トラップを備えた浴室の概略斜視図である。
【００１７】
第８図の通り、洗い場パン２の浴槽３側に排水枡６が一体形成されている。この排水枡６に対し下側から排水トラップ１０が連結されている。
【００１８】
排水トラップ１０の側面の流入口１１と浴槽３の底面の排水口３ａとが配管４を介して接続されている。
【００１９】
また、排水トラップ１０の上面部には、洗い場２側からの排水が排水枡６を通り流入する洗い場排水受入口Ａ（第５図）が設けられている。排水トラップ１０の流入口１１とほぼ反対側の側面の排水口６０には排水管７（第８図）が接続されている。
【００２０】
第５図に示すように、排水枡６は洗い場パン２と一体状に凹み状に形成されている。その上面には排水目皿８（第８図）が覆設されている。
【００２１】
排水枡６の底側にはフランジ部材１２がパッキン（図示略）を介して取り付けられ、このフランジ部材１２にネジ込み方式により、排水トラップ１０の上端が取り付けられている。なお、排水トラップ１０の上端に設けられたフランジ２１ｆとフランジ部材１２とによって排水枡６の底面の開口の縁部が挟持される。
【００２２】
フランジ部材１２を通して排水トラップ１０内に上方から着脱可能にヘアキャッチャー１３が差し込まれている。このヘアキャッチャー１３は、上面が開いたカゴ（篭）状である。ヘアキャッチャー１３には、上方に立ち上がる把手１３ａが設けられている。
【００２３】
この実施の形態では、ヘアキャッチャー１３は下方側へ向かって縮径する略逆円錐台形状を有する。ヘアキャッチャー１３は、その下端が排水トラップ１０内の封水面Ｗ（第５図）よりも若干（例えば１０ｍｍ以下程度）上方に位置するようにフランジ部材１２に支持されている。なお、ヘアキャッチャー１３は、排水トラップ１０内に形成される旋回流によって上方に押されても浮き上がらないようにフランジ部材１２に係止部１２ａによって係止されている。
【００２４】
排水トラップ１０の構成について次に詳細に説明する。
【００２５】
この排水トラップ１０は、受入室２０と、受入室２０の下側の導水室４０と、該導水室４０から立ち上がる立上室５０と、該立上室５０の側面に開口する排水口６０とから主として構成されている。
【００２６】
受入室２０は、円筒形の上部ハウジング２１と、この上部ハウジング２１の下端に連なる、上部ハウジング２１よりも大径の下部ハウジング２２とによって周壁が構成されている。
【００２７】
上部ハウジング２１は、水平断面形状が真円形の円筒形であるが、若干のテーパーを有していてもよい。
【００２８】
下部ハウジング２２は、この実施の形態では、天井面２２ａと、周面２２ｂと、底面２２ｃとからなるコ字形断面形状である。
【００２９】
下部ハウジング２２の周壁に流入口１１が接続されている。この流入口１１は、下部ハウジング２２の内周面の接線方向を指向している。これにより、流入口１１から下部ハウジング２２に流入する水は、受入室２０内で旋回流を形成することが可能となっている。
【００３０】
この下部ハウジング２２の水平断面形状は、この流入口１１の接続部における周壁の半径ｒ１（第６図）が最も大きく、水の旋回方向下流側に向って徐々に半径が小さくなり、旋回方向の下流端における周壁の半径ｒ２（第６図）が最も小さい形状となっている。この最小半径ｒ２は、上部ハウジング２１の半径よりも大径となっている。この下部ハウジング２２により、受入室２０の下部を周回する環状水路が構成されている。
【００３１】
この最小半径ｒ２は、最大半径ｒ１の２０〜９０％特に５０〜８０％であることが好ましい。具体的には、黄金比、対数螺旋で表せる形状であってもよい。下部ハウジング２２の高さは受入室２０の高さの２０〜１００％、特に４０〜８０％程度が好適である。
【００３２】
第５図の通り、下部ハウジング２２の底面２２ｃと面一となるように、縮径方向に底面部２３が張り出している。この底面部２３は水平な円環板状であり、その板央部に開口２４が設けられている。この開口２４を介して、受入室２０と導水室４０とが連通している。
【００３３】
この導水室４０は、下部ハウジング２２から一方（第５図における左方）に延出している。導水室４０の延在方向の先端側に、上方に立ち上がる立上室５０が設けられている。
【００３４】
この立上室５０の上部の側面に排水口６０が開口している。この排水口６０の下縁が封水面Ｗ（第５図）となっている。この排水口６０の下縁は、流入口１１の上端よりも上位となっている。
【００３５】
このように構成された排水トラップの作動について次に説明する。
【００３６】
水を張った浴槽３の排水口３ａの排水栓を抜くと、浴槽３内の水が流入口１１から受入室２０内に流入し、まず下部ハウジング２２の内周面に沿って流れて旋回流を形成する。
【００３７】
この下部ハウジング２２の周壁は、流入口１１部分で半径が最も大きく、旋回方向下流側に向って徐々に半径が小さくなる形状であるため、下部ハウジング２２内に流入した水が周壁に沿って旋回するに際し、旋回方向下流側になるほど旋回半径が小さくなり、旋回流速が増大する。
【００３８】
下部ハウジング２２内の水位は次第に上昇して上部ハウジング２１に達する。ここで、この上部ハウジング２１の半径は下部ハウジング２２の最小半径ｒ２よりも小さいため、上部ハウジング２１において旋回流速はさらに増大する。
【００３９】
水位は更に上昇し、ヘアキャッチャー１３あるいはさらに排水枡６が旋回流に浸水した状態となる。これにより、排水枡６の内面やヘアキャッチャー１３に付着しているゴミや毛髪がこすり落とされて、ゴミや髪の毛は渦の中心に集められ、渦の中心から下方へ落下し、ヘアキャッチャー１３の下端の底面中央部に良好に集められる。
【００４０】
受入室２０内で旋回している水の一部は、渦の中心付近から導水室４０へ流出する。その後、水は、立上室５０を経て排水口６０から流出する。
【００４１】
上記のように、流入口１１から受入室２０内に流入した水は、下部ハウジング２２内において下流側に行くに従い旋回流速が増大する。この増速した旋回流が、上昇して上部ハウジング２２に流入するとさらに旋回流速が増大する。この結果、浴槽３の水位が低く流入口１１からの流入水量が少ない場合でも、受入室２０内に強力な旋回流が形成され、ヘアキャッチャー１３や排水枡６が十分に洗浄される。また、ゴミがヘアキャッチャー１３の中心部に効率よく集められる。
【００４２】
浴槽からすべての水が流出すると、旋回流は停止し、排水トラップ１０内には封水面Ｗのレベルの封水が残る。
【００４３】
これにより、排水管７側と洗い場及び浴槽３側とはいずれも封水によって隔絶されることになり、排水管７の臭気が洗い場や浴槽３へ逆流することが防止される。
【００４４】
第９図及び第１０図は、別の排水トラップ１０Ａの断面図である。この排水トラップ１０Ａは、受入室２０Ａの底面部を、開口２４に向って徐々に径が小さくなるテーパ形状としたものである。
【００４５】
この実施の形態では、下部ハウジング２２の底面２２ｃの内周縁から垂下筒部２５が下方に突設されている。この垂下筒部２５は上部ハウジング２１と同軸状かつ略同直径となっている。この垂下筒部２５の内側にテーパブロック２６が嵌合設置されている。このテーパブロック２６は、略リング形の部材であり、外周面が垂下筒部２５に接し、底面が導水室４０の天井板部分に接している。テーパブロック２６は、中心ほど下位となるテーパ面２６ａを有している。テーパブロック２６の高さは垂下筒部２５と同一であり、テーパ面２６ａの上縁は、下部ハウジング２２の底面２２ｃと同一高さとなっている。テーパブロック２６の中心部に円形の開口２６ｂが設けられている。この開口２６ｂの縁部は前記開口２４に内嵌している。
【００４６】
この排水トラップ１０Ａのその他の構成は第１図〜第８図の排水トラップ１０と同様であり、同一符号は同一部分を示している。下部ハウジング２２は、前記第６図に示した通り、流入口１１側において半径ｒ１が最も大きく、旋回方向の下流側に向って徐々に半径が小さくなっている。上部ハウジング２１の半径は、下部ハウジング２２の最小半径ｒ２よりも小さいものとなっている。
【００４７】
この排水トラップ１０Ａにおいても、流入口１１から受入室２０Ａ内に流入した水は、下部ハウジング２２内において下流側に行くに従い旋回流速が増大する。受入室２０Ａの水位が上昇して上部ハウジング２１に流入するとさらに旋回流速が増大する。この結果、浴槽３の水位が低く流入口１１からの流入水量が少ない場合でも、受入室２０Ａ内に強力な旋回流が形成され、ヘアキャッチャー１３や排水枡６が十分に洗浄される。また、ゴミがヘアキャッチャー１３の中心部に効率よく集められる。
【００４８】
この排水トラップ１０Ａは、受入室２０Ａの底部の中央側がテーパ面２６ａとなっているため、受入室２０Ａ内の水は導水室４０内にスムーズに流出する。
【００４９】
上記実施の形態では、下部ハウジング２２をコ字形断面形状としているが、半円形断面形状や半楕円形断面形状としてもよい。
【００５０】
上記実施の形態では、下部ハウジング２２の旋回方向末端の半径ｒ２を上部ハウジング２１の半径よりも大としているが、両者を等しくしてもよい。
【００５１】
上記実施の形態では、下部ハウジング２２の半径を、最も流入口１１側の部分で最大半径ｒ１とし、旋回方向末端側で最小半径ｒ２とし、これらの最大半径部分から最小半径部分に至る周方向において半径が連続的に小さくなる構成としているが、最大半径部分から最小半径部分に至る一部において周方向に等径の円弧状部分が存在していてもよい。
【００５２】
上記実施の形態では、テーパブロック２６を設置しているが、テーパブロック２６は省略してもよい。
【図面の簡単な説明】
【００５３】
【図１】排水トラップの斜視図である。
【図２】排水トラップの断面図である。
【図３】排水トラップの正面図である。
【図４】排水トラップの平面図である。
【図５】排水トラップの断面図である。
【図６】図３のVI−VI線断面図である。
【図７】排水トラップの左側面図である。
【図８】実施の形態に係る排水トラップを備えた浴室の斜視図である。
【図９】別の排水トラップの断面斜視図である。
【図１０】図９の排水トラップの断面図である。
【符号の説明】
【００５４】
３  浴槽
６  排水枡
１０  排水トラップ
１３  ヘアキャッチャー
２０，２０Ａ  受入室
２１  上部ハウジング
２２  下部ハウジング
２３，２３Ａ  底面部
２４  開口
２５  垂下筒部
２６  テーパブロック
４０  導水室
５０  立上室
６０  排水口
【図１】
2009167589.tif 000003
【図２】
2009167589.tif 000004
【図３】
2009167589.tif 000005
【図４】
2009167589.tif 000006
【図５】
2009167589.tif 000007
【図６】
2009167589.tif 000008
【図７】
2009167589.tif 000009
【図８】
2009167589.tif 000010
【図９】
2009167589.tif 000011
【図１０】
2009167589.tif 000012